(57)【要約】【課題】画像データに基づく注文を、簡単かつ確実に処理することができる注文処理プログラム及び注文処理方法の提供。【解決手段】コンピュータを、メディア７の装填を監視し、装填されたメディア７から全ての画像データを読み取る読み取り手段１４、画像データに基づく注文を識別するための注文識別情報を生成する注文識別情報生成手段１５、装填された記録媒体９に読み取った画像データ及び該画像データに基づいて生成された家電機器用データの少なくとも一方を記録する書き込み手段１８、画像データの読み取りが終了してから書き込みが完了するまで、生成した注文識別情報を表示手段２に表示させる表示制御手段１８、として機能させる。これにより、機械操作に不慣れな店員であっても、画像データに基づく注文を簡単かつ確実に処理することができる。【選択図】図４
2007114891.tif 000002
【特許請求の範囲】
【請求項１】
コンピュータを、
メディアの装填を監視し、装填されたメディアから全ての画像データを読み取る読み取り手段、
前記画像データに対する注文を識別するための注文識別情報を生成する注文識別情報生成手段、
装填された記録媒体に、少なくとも前記画像データを書き込む書き込み手段、
前記読み取り手段での読み取りが終了してから、前記書き込み手段での書き込みが完了するまで、表示手段に前記注文識別情報を表示させる表示制御手段、として機能させることを特徴とする注文処理プログラム。
【請求項２】
前記表示制御手段では、前記読み取り手段での読み取りが終了した後、表示手段に前記メディアの取り出しを促す情報を表示させ、前記メディアの取り出しを確認した後、表示手段に前記注文識別情報を表示させることを特徴とする請求項１記載の注文処理プログラム。
【請求項３】
前記書き込みが完了するまでとは、前記記録媒体への書き込みが終了するまで、書き込みが終了してから前記記録媒体を収納するトレーを解放するまで、書き込みが終了してから所定の時間が経過するまで、又は、書き込みが終了してから前記トレーを解放し更に前記トレーを格納するまで、のいずれかであることを特徴とする請求項１又は２に記載の注文処理プログラム。
【請求項４】
コンピュータを、
装填されたメディアから画像データを読み取る読み取り手段、
前記画像データに対する注文を識別するための注文識別情報を生成する注文識別情報生成手段、
記憶手段に、前記画像データと前記注文識別情報とを対応付けて記憶する記憶制御手段、
装填された記録媒体に記録された注文識別情報と前記記憶手段に記憶された前記注文識別情報とが一致するかを判定する判定手段、として機能させ、
前記記憶制御手段では、前記記録媒体に記録された注文識別情報と前記記憶手段に記憶された前記注文識別情報とが一致する場合に、前記記憶手段から前記画像データを消去することを特徴とする注文処理プログラム。
【請求項５】
前記判定手段では、前記記録媒体に記録された注文識別情報と前記記憶手段に記憶された前記注文識別情報とが一致する場合に、前記記録媒体に記録されたデータの少なくとも一部を再生し、
前記記憶制御手段では、前記記録媒体に記録された注文識別情報と前記記憶手段に記憶された前記注文識別情報とが一致し、かつ、前記データが再生可能である場合に、前記記憶手段から前記画像データを消去することを特徴とする請求項４記載の注文処理プログラム。
【請求項６】
前記記録媒体は、前記注文処理プログラムが実行される機器から送信された画像データと注文識別情報とを受信した機器で作成された記録媒体であることを特徴とする請求項４又は５に記載の注文処理プログラム。
【請求項７】
メディアの装填を監視し、装填されたメディアから全ての画像データを読み取る第１のステップと、
前記画像データに対する注文を識別するための注文識別情報を生成する第２のステップと、
前記画像データの読み取りが終了した後、表示手段に前記注文識別情報を表示する第３のステップと、
装填された記録媒体に、少なくとも前記画像データを書き込む第４のステップと、
前記画像データの書き込みが完了した後、前記注文識別情報の表示を終了する第５のステップと、を少なくとも備えることを特徴とする注文処理方法。
【請求項８】
前記第３のステップでは、前記画像データの読み取りが終了した後、表示手段に前記メディアの取り出しを促す情報を表示し、前記メディアの取り出しを確認した後、表示手段に前記注文識別情報を表示することを特徴とする請求項７記載の注文処理方法。
【請求項９】
前記書き込みが完了した後とは、前記記録媒体への書き込みが終了した後、書き込みが終了してから前記記録媒体を収納するトレーを解放した後、書き込みが終了してから所定の時間が経過した後、又は、書き込みが終了してから前記トレーを解放し更に前記トレーを格納した後、のいずれかであることを特徴とする請求項７又は８に記載の注文処理方法。
【請求項１０】
装填されたメディアから画像データを読み取る第１のステップと、
前記画像データに対する注文を識別するための注文識別情報を生成する第２のステップと、
記憶手段に、前記画像データと前記注文識別情報とを対応付けて記憶する第３のステップと、
装填された記録媒体に記録された注文識別情報と前記記憶手段に記憶された前記注文識別情報とが一致するかを判定する第４のステップと、
前記記録媒体に記録された注文識別情報と前記記憶手段に記憶された前記注文識別情報とが一致する場合に、前記記憶手段から前記画像データを消去する第５のステップと、を少なくとも備えることを特徴とする注文処理方法。
【請求項１１】
前記第４のステップでは、前記記録媒体に記録された注文識別情報と前記記憶手段に記憶された前記注文識別情報とが一致する場合に、前記記録媒体に記録されたデータの少なくとも一部を再生し、
前記第５のステップでは、前記記録媒体に記録された注文識別情報と前記記憶手段に記憶された前記注文識別情報とが一致し、かつ、前記データが再生可能である場合に、前記記憶手段から前記画像データを消去することを特徴とする請求項１０記載の注文処理方法。
【請求項１２】
前記記録媒体は、前記注文処理方法を実行する機器から送信された画像データと注文識別情報とを受信した機器で作成された記録媒体であることを特徴とする請求項１０又は１１に記載の注文処理方法。
【発明の詳細な説明】
【技術分野】
【０００１】
本発明は、画像データに関する注文の処理を行う注文処理プログラム及び注文処理方法に関する。
【背景技術】
【０００２】
近年、写真画像に関する様々なサービスが提供されている。例えば、写真を撮影したデジタルカメラやデジタルカメラ用メディアをミニラボ等の写真店に持ち込むと、店員は店舗内に設けられた受付端末などを用いて、デジタルカメラやメディアから画像データを読み取り、読み取った画像データをＣＤ−Ｒ、ＤＶＤ−Ｒなどの記録媒体に書き込んだり、読み取った画像データから写真プリントを作成するなどの処理を行う。
【０００３】
また、デジタルカメラやメディアから読み取った画像データを単に記録媒体に記録するのではなく、これらの画像データからＤＶＤプレーヤやＤＶＤレコーダ、ＨＤＤレコーダ、ゲーム機などの家電機器でスライドショーとして再生するためのデータ（以下、家電機器用データと呼ぶ。）を作成してＣＤ−ＲやＤＶＤ−Ｒなどの記録媒体に書き込む処理を行う（このような注文の処理に関しては、例えば、下記特許文献１参照）。
【０００４】
【特許文献１】特開２００４−１６４４７８号公報（第７−１４頁、第１図）
【発明の開示】
【発明が解決しようとする課題】
【０００５】
ここで、画像データに関する注文には、多数の画像データの中から所望の画像データを選択したり、画像を回転させるなどの処理を行った後に、該画像データを記録媒体に記録したり該画像データから写真プリントを作成するといった複雑な注文もあれば、撮影した全ての画像データを記録媒体に記録したり全ての画像データから写真プリントを作成するといった簡単な注文もあるが、従来の受付端末は、前者のような複雑な注文でも処理できるように、画像データ選択画面や画像処理画面などの多数の画面を表示し、各々の画面で操作を行うことによって注文が処理できるように構成されている。
【０００６】
そのため、後者のような簡単な注文でも、多数の画面で複雑な操作をしなければならず、注文に時間がかかったり、誤った操作をしてしまう恐れがある。特に、近年は写真店のみならずコンビニエンスストアなどでも注文ができるようになってきており、このような店舗では機械操作に不慣れな店員が受付端末を操作する場合が多いため、受付端末での操作が多くなると、受付に時間がかかって迅速に注文を処理することができなくなってしまい、また、誤った操作をして注文が処理できなくなってしまうなどの問題が生じる。
【０００７】
また、コンビニエンスストアなどに設置された受付端末で注文を受け付け、写真店などに設置された記録装置やプリント作成装置で記録媒体や写真プリントを作成する場合、受付端末では読み取った画像データを記録装置やプリント作成装置に送信した後に消去するが、その際、注文の処理状況に関係なく画像データを消去すると、注文の処理に失敗した場合に、再度、メディアなどから画像データを読み取らなければならなくなってしまう。また、注文の処理が終了した後に画像データを消去する場合でも、例えば、記録媒体に記録した家電機器用データが適切に再生できない場合には、やはり再度、メディアなどから画像データを読み取らなければならなくなってしまう。
【０００８】
従って、受付端末から画像データを消去する場合は、注文の処理が終了したか、また、注文の処理が適切に行われたかを判断しなければならないが、受付端末を操作する店員にこのような判断をさせるのは適当ではなく、また、機械操作に不慣れな店員に消去の操作をさせると、操作に時間がかかったり、誤って他の画像データを消去してしまうなどの問題も生じる。
【０００９】
本発明は、上記問題点に鑑みてなされたものであって、その主たる目的は、画像データに基づく注文を、簡単かつ確実に処理することができる注文処理プログラム及び注文処理方法を提供することにある。
【課題を解決するための手段】
【００１０】
上記目的を達成するため、本発明の注文処理プログラムは、コンピュータを、メディアの装填を監視し、装填されたメディアから全ての画像データを読み取る読み取り手段、前記画像データに対する注文を識別するための注文識別情報を生成する注文識別情報生成手段、装填された記録媒体に、少なくとも前記画像データを書き込む書き込み手段、前記読み取り手段での読み取りが終了してから、前記書き込み手段での書き込みが完了するまで、表示手段に前記注文識別情報を表示させる表示制御手段、として機能させるものである。
【００１１】
本発明においては、前記表示制御手段では、前記読み取り手段での読み取りが終了した後、表示手段に前記メディアの取り出しを促す情報を表示させ、前記メディアの取り出しを確認した後、表示手段に前記注文識別情報を表示させる構成とすることができ、前記書き込みが完了するまでとは、前記記録媒体への書き込みが終了するまで、書き込みが終了してから前記記録媒体を収納するトレーを解放するまで、書き込みが終了してから所定の時間が経過するまで、又は、書き込みが終了してから前記トレーを解放し更に前記トレーを格納するまで、のいずれかとすることができる。
【００１２】
また、本発明の注文処理プログラムは、コンピュータを、装填されたメディアから画像データを読み取る読み取り手段、前記画像データに対する注文を識別するための注文識別情報を生成する注文識別情報生成手段、記憶手段に、前記画像データと前記注文識別情報とを対応付けて記憶する記憶制御手段、装填された記録媒体に記録された注文識別情報と前記記憶手段に記憶された前記注文識別情報とが一致するかを判定する判定手段、として機能させ、前記記憶制御手段では、前記記録媒体に記録された注文識別情報と前記記憶手段に記憶された前記注文識別情報とが一致する場合に、前記記憶手段から前記画像データを消去するものである。
【００１３】
本発明においては、前記判定手段では、前記記録媒体に記録された注文識別情報と前記記憶手段に記憶された前記注文識別情報とが一致する場合に、前記記録媒体に記録されたデータの少なくとも一部を再生し、前記記憶制御手段では、前記記録媒体に記録された注文識別情報と前記記憶手段に記憶された前記注文識別情報とが一致し、かつ、前記データが再生可能である場合に、前記記憶手段から前記画像データを消去する構成とすることができる。
【００１４】
また、本発明においては、前記記録媒体は、前記注文処理プログラムが実行される機器から送信された画像データと注文識別情報とを受信した機器で作成された記録媒体とすることが好ましい。
【００１５】
また、本発明の注文処理方法は、メディアの装填を監視し、装填されたメディアから全ての画像データを読み取る第１のステップと、前記画像データに対する注文を識別するための注文識別情報を生成する第２のステップと、前記画像データの読み取りが終了した後、表示手段に前記注文識別情報を表示する第３のステップと、装填された記録媒体に、少なくとも前記画像データを書き込む第４のステップと、前記画像データの書き込みが完了した後、前記注文識別情報の表示を終了する第５のステップと、を少なくとも備えるものである。
【００１６】
本発明においては、前記第３のステップでは、前記画像データの読み取りが終了した後、表示手段に前記メディアの取り出しを促す情報を表示し、前記メディアの取り出しを確認した後、表示手段に前記注文識別情報を表示する構成とすることができ、前記書き込みが完了した後とは、前記記録媒体への書き込みが終了した後、書き込みが終了してから前記記録媒体を収納するトレーを解放した後、書き込みが終了してから所定の時間が経過した後、又は、書き込みが終了してから前記トレーを解放し更に前記トレーを格納した後、のいずれかとすることができる。
【００１７】
また、本発明の注文処理方法は、装填されたメディアから画像データを読み取る第１のステップと、前記画像データに対する注文を識別するための注文識別情報を生成する第２のステップと、記憶手段に、前記画像データと前記注文識別情報とを対応付けて記憶する第３のステップと、装填された記録媒体に記録された注文識別情報と前記記憶手段に記憶された前記注文識別情報とが一致するかを判定する第４のステップと、前記記録媒体に記録された注文識別情報と前記記憶手段に記憶された前記注文識別情報とが一致する場合に、前記記憶手段から前記画像データを消去する第５のステップと、を少なくとも備えるものである。
【００１８】
本発明においては、前記第４のステップでは、前記記録媒体に記録された注文識別情報と前記記憶手段に記憶された前記注文識別情報とが一致する場合に、前記記録媒体に記録されたデータの少なくとも一部を再生し、前記第５のステップでは、前記記録媒体に記録された注文識別情報と前記記憶手段に記憶された前記注文識別情報とが一致し、かつ、前記データが再生可能である場合に、前記記憶手段から前記画像データを消去する構成とすることができる。
【００１９】
このように、本発明によれば、画像データに基づく画像が表示されることなく注文識別情報などの必要な情報のみが表示され、操作を必要最小限に留めることができるため、機械操作に不慣れな店員であっても、簡単かつ確実に注文の処理を実行することができる。
【００２０】
また、本発明によれば、注文識別情報の比較結果に基づいて画像データを消去するか否かが判断されるため、注文処理が適切に実行されない状態で画像データが消去されることがなく、また、複雑な操作を行うことなく画像データを消去することができるため、機械操作に不慣れな店員であっても、簡単かつ確実に注文の処理を実行することができる。
【発明の効果】
【００２１】
本発明の注文処理プログラム及び注文処理方法によれば、画像データに基づく注文を簡単かつ確実に処理することができる。
【００２２】
その理由は、受付端末に画像データが記録されたメディアを装填すると、自動的にメディアから全ての画像データが読み取られ、画像データの読み取り後、画像データに基づく画像が表示されることなく生成した注文識別情報が表示手段に表示され、また、自動的に読み取った画像データや該画像データに基づいて生成された家電機器用データが記録媒体に書き込まれ、書き込み処理が完了するまで、注文識別情報の表示が続行されるため、必要な情報のみを表示し、操作を必要最小限に留めることができ、これにより、機械操作に不慣れな店員であっても、操作に戸惑ったり間違うことなく注文の処理を行うことができるからである。
【００２３】
また、受付端末で読み取った画像データと生成した注文識別情報とが対応付けて記憶手段に記憶され、受付端末から送信される画像データ及び注文識別情報に従って記録装置で作成した記録媒体を受付端末に装填すると、受付端末の記憶手段に記憶された注文識別情報と記録媒体に記録された注文識別情報とが一致するかが判定され、必要に応じて記録媒体に記録された家電機器用データが再生され、注文識別情報が一致する場合又は更に家電機器用データが正常に再生可能である場合に、注文識別情報に対応付けて記憶された画像データが記憶手段から消去されるため、注文処理が適切に実行されない状態で画像データが消去されることがなく、又は消去のために複雑な操作を行う必要がないからである。
【発明を実施するための最良の形態】
【００２４】
本発明の注文処理プログラムは、その好ましい一実施の形態において、コンピュータを、メディアの装填を監視し、装填されたメディアから全ての画像データを読み取る読み取り手段、画像データに基づく注文を識別するための注文識別情報を生成する注文識別情報生成手段、装填された記録媒体に読み取った画像データ及び該画像データに基づいて生成された家電機器用データの少なくとも一方を記録する書き込み手段、画像データの読み取りが終了してから書き込みが完了するまで、生成した注文識別情報を表示手段に表示させる表示制御手段、として機能させる。これにより、画像データに基づく注文を、簡単かつ確実に処理することができる。
【００２５】
また、コンピュータを、メディアから読み取った画像データと生成した注文識別情報とを対応付けて記憶手段に記憶する記憶制御手段、装填された記録媒体に記録された注文識別情報と記憶手段に記憶された注文識別情報とが一致するかを判定すると共に、記録媒体に記録された家電機器用データを再生する判定手段、として機能させ、記憶制御手段では、注文識別情報が一致又は更に家電機器用データが再生可能である場合に、注文識別情報に対応付けて記憶された画像データ記憶手段から消去する。これにより、画像データに基づく注文を、簡単かつ確実に処理することができる。
【実施例１】
【００２６】
上記実施形態について詳細に説明すべく、本発明の第１の実施例に係る注文処理プログラム及び注文処理方法について、図１乃至図１１を参照して説明する。図１は、本実施例に係る受付端末の構成を模式的に示す図であり、図２及び図３は、受付端末の他の構成を示す図である。また、図４は、受付端末の手段を示すブロック図であり、図５は、注文処理の手順を示すフローチャート図である。また、図６及び図７は、受付端末の表示手段に表示される画面構成例を示す図であり、図８は、注文袋の構成例を示す図である。また、図９は、記録媒体におけるデータの記録構造を示す図、図１０は、記録媒体におけるデータの記録領域を示す図、図１１は、記録媒体（ＣＤ−Ｒ）の構造を模式的に示す図である。
【００２７】
図１に示すように、本実施例の受付端末１は、スマートメディア、コンパクトフラッシュ（登録商標）、メモリースティック、ＳＤメモリーカード、マルチメディアカードなどのデジタルカメラ８用のスティック型の記録媒体（以下、メディア７と呼ぶ。）を装填するメディア装填部４と、必要に応じて、デジタルカメラ８やカメラ付き携帯電話機等の撮影機器（以下、デジタルカメラ８として説明する。）を有線又は無線、赤外線等によって接続するための機器接続部５と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部６と、ＬＣＤ、ＣＲＴ等の表示手段２と、ボタン、キーボード、マウス等の操作手段６などを備えている。
【００２８】
また、図４に示すように、本実施例の受付端末１は上記手段に加えて、メディア装填部４にメディア７が装填されたかを監視し、装填されたメディア７や接続されたデジタルカメラ８から画像データ（静止画像データ、動画データ、画像情報を含むデータを総称して画像データと呼ぶ。）を読み取る読み取り手段１４と、読み取った画像データに対する注文を識別するための注文番号などの情報（以下、注文識別情報と呼ぶ。）を生成する注文識別情報生成手段１５と、画像データに基づいて、ＤＶＤプレーヤやＤＶＤレコーダ、ＨＤＤレコーダなどの家電機器でスライドショーを再生するための家電機器用データを生成したり、画像データのファイル名を変換するなどの処理を行うデータ生成手段１７と、装填された記録媒体９に画像データや家電機器用データなどを記録する書き込み手段１８と、読み取り手段１４による画像データの読み取りが終了した後、書き込み手段１８により画像データの書き込みが完了するまでの間、注文特定情報を店員に確認させるための注文識別情報確認画面などを表示手段２に表示させる表示制御手段１６とを備えている。
【００２９】
なお、図１では、受付端末１として、写真店や注文店などに設置される専用の端末を記載しているが、受付端末１の形態は任意であり、例えば、図２に示すように、コンピュータ端末としてもよいし、図３に示すようなキオスク（無人端末）などとしてもよい。また、上記各手段はハードウェアとして構成されていてもよいし、コンピュータを、少なくとも読み取り手段１４、注文識別情報生成手段１５、表示制御手段１６及び書き込み手段１８として機能させる注文処理プログラムとして構成し、該注文処理プログラムを受付端末１にインストールして実行する構成としてもよい。
【００３０】
上記構成の受付端末１（注文処理プログラム）を用いた注文処理の手順について、図５のフローチャート図を参照して説明する。なお、以下の説明ではメディア７から画像データを読み取る構成とするが、デジタルカメラ８から画像データを読み取る場合も同様に適用することができる。
【００３１】
まず、ステップＳ１０１で、受付端末１（注文処理プログラム）を起動する。ここで、従来の受付端末では、表示手段２にメニュー画面などを表示し、店員はメニュー画面で作業を選択したり、読み取り先を指定するなどの操作を行っていたため、機械操作に不慣れな店員の場合は、上記操作に手間取って注文の受付処理に時間がかかったり、操作を誤って注文の受付に失敗するなどの問題があった。
【００３２】
そこで、本実施例では、注文を簡単かつ確実に処理できるようにするために、メニュー画面などを表示手段２に表示させることなく、ステップＳ１０２で、読み取り手段１４を用いてメディア装填部４にメディア７が装填されたかを監視し、店員がメディア装填部４にメディア７を装填したら、ステップＳ１０３で、読み取り手段１４は、メディア７に記録された全ての画像データを自動的に読み取る。
【００３３】
また、従来の受付端末では、画像データの読み取りが終了すると、表示手段２に読み取った画像データに基づく画像を表示して、店員に画像データの確認や画像データの選択などの操作をさせていたが、メディア７に記録された全ての画像データを注文の対象とする場合にはこのような画像の表示や選択は不要であり、また、余分な画面を表示したり、その画面で操作させると、注文の受付処理に時間がかかったり、操作ミスなどの原因となる。そこで、本実施例では、画像データの読み取りが終了しても、画像を表示させたり、画像データの選択をさせることなく、処理を続行する。
【００３４】
次に、読み取った画像データに対する処理を開始するが、その際、受付端末１のメディア装填部４にメディア７が装填されたままにするとメディア７を抜き忘れてしまう場合があり、また、メディア７を取り出すタイミングを店員に知らせないと、機械操作に不慣れな店員の場合は、メディア７から画像データを読み取っている途中でメディア７を引き抜いて画像データが破損してしまう恐れがある。
【００３５】
そこで、本実施例では、必要に応じて、ステップＳ１０４で、表示制御手段１６は表示手段に、例えば図６に示すようなメディア取り出し指示画面２３を表示させると共に、ステップＳ１０５で、読み取り手段１４を用いてメディア装填部４からメディア７が取り出されたかを監視する。このメディア取り出し指示画面２３には、メディア装填部４からメディア７を取り出すように促すメッセージが表示され、店員はこのメディア取り出し指示画面２３が表示されたらメディア装填部４からメディア７を取り出せばよいため、メディア７が装填されたままになったり、読み取り途中でメディア７を引き抜いてしまうなどの不具合の発生を未然に防止することができる。
【００３６】
また、本実施例の受付端末１では、メディア装填部４にメディア７が装填されたら自動的に画像データの読み取りを行うため、例えば、一旦メディア装填部４からメディア７が取り出された後、再びメディア装填部４にメディア７が装填された場合や、複数のメディア装填部４にメディア７が装填された場合には、画像データの読み取りを繰り返し行ってしまう。そこで、読み取り手段１４では、このような不具合を防止するために、一旦、メディア装填部４からメディア７が取り出されたら、又は、メディア装填部４に１つのメディア７が装填されたら、メディア装填部４の監視を終了し、その後に装填されたメディア７から画像データを読み取らないようにする。
【００３７】
その後、読み取った画像データに対する処理を行うが、その際、複数の注文の処理を行っている場合に、画像データを記録した記録媒体９や画像データを印刷した写真プリントがどの注文に対応するかが分からなくなってしまう恐れがあるため、従来より、記録媒体９や写真プリントを収納する注文袋に店員が注文番号などの注文識別情報を記入しているが、その際、注文操作に不慣れな店員はどれが注文識別情報があるのか、また、注文識別情報をどの段階で記入すればよいかがわかりにくいため、注文と記録媒体９や写真プリントとの対応関係が不明確になってしまう場合があった。
【００３８】
そこで本実施例では、画像データの読み取りが終了したら、ステップＳ１０６で、注文識別情報生成手段１５を用いて、注文識別情報を生成する。この注文識別情報は、シーケンシャルな番号としてもよいし、日付とシーケンシャルな番号とを組み合わせた番号としてもよいし、後述するように予め定められたルールに従って記録媒体９に対して付与される番号（YYMMDDyyyXXXXXXAABなど）としてもよい。そして、ステップＳ１０７で、表示制御手段１６は、表示手段２に例えば、図７に示すような注文識別情報確認画面２４を表示させる。この注文識別情報確認画面２４には、少なくとも注文識別情報が表示されており、店員はこの注文識別情報確認画面２４が表示されたら、図８に示すような注文袋２５に、表示された注文識別情報を記入すればよいため、注文識別情報を書き忘れるなどの不具合を未然に防止することができる。
【００３９】
また、この注文識別情報確認画面２４の表示が短いと、注文操作に不慣れな店員は注文識別情報の読み取りができないなどの問題が生じる。一方、本実施例の受付端末１では不要な画面を表示させないため、注文識別情報確認画面２４を表示したままでも特に問題は生じない。そこで、本実施例では、この注文識別情報確認画面２４を注文処理（具体的には後述する書き込み処理）が完了するまで表示手段２に表示させる。
【００４０】
そして、ステップＳ１０８で、記録媒体装填部６に記録媒体９が装填されたかを判断し、店員が記録媒体装填部６に記録媒体９を装填したら、画像データに対する処理を開始する。なお、記録媒体装填部６に記録媒体９が装填されたか否かは書き込み手段１８が判断してもよいし、店員が記録媒体装填部６に記録媒体９を装填した後、受付端末１を操作する（注文識別情報確認画面２４のＯＫボタンを押すなど）ようにしてもよい。
【００４１】
また、記録媒体装填部６に任意の記録媒体９が装填されたらその後の処理を続行する構成としてもよいが、特定の記録媒体９に対してのみその後の処理が続行されるようにしてもよく、その場合は、記録媒体９の所定の領域に記録媒体９を識別するための識別情報が記録されているかを調べ、識別情報が記録されている場合に特定の記録媒体９と判断することもできる。この識別情報の内容は限定されないが、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００４２】
ここで、一般的な記録媒体９（ＣＤ−Ｒ）の構造について、図１１を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００４３】
次に、必要に応じて、ステップＳ１０９で、データ生成手段１７は、読み取った画像データにスライド表示の時間分の差分０のデータを付加したり、スライド効果に基づく差分データを付加するなどして動画データを生成（エンコード）し、次に、生成した動画データ及び読み取った動画データを、ＤＶＤプレーヤやＤＶＤレコーダ、ＨＤＤレコーダ、ゲーム機などの家電機器で再生可能なＶｉｄｅｏ−ＣＤ形式やＤＶＤ−Ｖｉｄｅｏ形式、ＨＤＴＶ形式に変換（オーサリング）して家電機器用データを生成する。また、必要に応じて、画像データのファイル名を予め定められたルールに従ってリネームしたり、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００４４】
次に、書き込み手段１８を用いて記録媒体装填部６に装填された記録媒体９に各種データを記録するが、その際、家電機器ではデータを読み込むことができる記録領域が限定されるため、家電機器用データを記録する場合は、ステップＳ１１０で、家電機器用データを記録媒体９の論理アドレス領域の内周側に書き込み、必要に応じてセッションをクローズした後、ステップＳ１１１で、画像データなどを記録媒体９の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００４５】
上記手順で作成された記録媒体９には、図１０に示すように各種情報が記録され、ディスク型記録媒体９の最も内側の論理アドレス領域外には識別情報が記録されており、その外側に位置する論理アドレス領域の内周側には必要に応じて家電機器用データが記録され、更にその外側の領域にはコンピュータ機器データが記録される。
【００４６】
また、上記手順で作成された記録媒体９のディレクトリ構造は、例えば、図９に示すようになり、読み取った画像データや、必要に応じて、縮小画像データ、スライドショー再生プログラム、スライドショーの設定ファイル、記録媒体９を識別するための情報などが記述された情報ファイルなどでコンピュータ機器用データが構成され、Ｖｉｄｅｏ−ＣＤ形式のデータを生成した場合は図９（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”CDI”フォルダ内のＴＶ画面に静止画像データを表示するためのアプリケーションなどで家電機器用データが構成され、ＤＶＤ−Ｖｉｄｅｏ形式のデータを生成した場合は図９（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００４７】
なお、画像データのディレクトリ構造は任意であるが、画像データをコンピュータ機器などにバックアップした場合における管理を容易にするために、例えば、図９に示すように、画像データの格納場所を示すフォルダ（PS_Roll）の下位の階層にメディア７毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００４８】
そして、各種データの書き込みが完了したら、ステップＳ１１２で、表示制御手段１６は、注文識別情報確認画面２４の表示を終了して一連の注文処理を終了する。なお、注文識別情報確認画面２４の表示を終了するタイミングとして、ここでは記録媒体９への書き込みが終了した時としたが、例えば、記録媒体９への書き込みが終了し、記録媒体装填部６から記録媒体９を排出した時（トレーを解放した時）としたり、記録媒体９への書き込みが終了してから所定の時間が経過した時としたり、記録媒体装填部６から記録媒体９を取り出した後、トレーを閉じた時などとすることもできる。
【００４９】
このように、本実施例では、メディア装填部４にメディア７が装填されたら自動的にメディア７から全ての画像データを読み取り、記録媒体装填部６に装填された記録媒体９に自動的に画像データや該画像データに基づいて生成された家電機器用データを記録するため、店員は複雑な操作をすることなく、簡単に注文の処理を行うことができる。
【００５０】
また、本実施例では、画像データに基づく画像などを表示することなく、必要に応じて、画像データの読み取り後、表示手段２にメディア７の取り出しを促すメディア取り出し指示画面２３を表示し、また、画像データの読み取り後、書き込みが完了するまで、注文識別情報確認画面２４を表示手段２に表示するため、機械操作に不慣れな店員であっても、操作に手間取ったり間違った操作を行うことなく、確実に注文の処理を行うことができる。
【実施例２】
【００５１】
次に、本発明の第２の実施例に係る注文処理プログラム及び注文処理方法について、図１２乃至図１５を参照して説明する。図１２は、本実施例に係る注文処理システムの構成を模式的に示す図であり、図１３は、受付端末及び記録装置の手段を示すブロック図である。また、図１４は、注文処理の手順を示すフローチャート図であり、図１５は、記憶手段におけるデータの記録構造を示す図である。
【００５２】
図１２に示すように、本実施例の受付端末１は、コンビニエンスストアなどの注文店に設置される注文の受付処理を行う受付端末１と、ミニラボなどの写真店に設置される写真プリント１１の作成を行うプリント作成装置１０や記録媒体９の作成を行う記録装置１２などの出力装置とで構成され、これらはＬＡＮやＷＡＮ、ＶＡＮなどの通信ネットワークを介して接続されている。
【００５３】
また、図１２及び図１３に示すように、本実施例の受付端末１は、メディア７を装填するメディア装填部４と、必要に応じて、デジタルカメラ８を接続するための機器接続部５と、記録媒体９を装填する記録媒体装填部６と、表示手段２と、操作手段６と、メディア装填部４や機器接続部５などを用いて、メディア７やデジタルカメラ８から画像データを読み取る読み取り手段１４と、読み取った画像データに対する注文を識別するための注文番号などの注文識別情報を作成する注文識別情報生成手段１５と、ハードディスクなどの記憶手段２０に、読み取った画像データと注文識別情報とを対応付けて記憶したり、所定の注文識別情報に対応付けて記憶された画像データを記憶手段２０から消去する記憶制御手段１９と、記憶手段２０に記憶された注文識別情報と記録媒体９に記録された注文識別情報とが一致するかを判定し、必要に応じて、記録媒体９に記録されたデータを再生する判定手段２１と、画像データと注文識別情報とをプリント作成装置１０や記録装置１２などの出力装置に送信する送信手段２２とを備えている。
【００５４】
また、プリント作成装置１０は、銀塩プリンタや昇華プリンタ、インクジェットプリンタなどで構成され、記録装置１２は、受付端末１から送信される情報を受信する手段と、必要に応じて、画像データに基づいて家電機器用データを生成したり、画像データのファイル名の変換などを行う手段と、記録媒体装填部１３に装填された記録媒体９に画像データや家電機器用データなどを書き込む手段などを備えている。
【００５５】
なお、本実施例においても、受付端末１の形態は任意であり、コンピュータ端末やキオスク（無人端末）などとしてもよい。また、受付端末１の各手段はハードウェアとして構成されていてもよいし、コンピュータを、少なくとも読み取り手段１４、注文識別情報生成手段１５、記憶制御手段１９、判定手段２１として機能させる注文処理プログラムとして構成し、該注文処理プログラムを受付端末１にインストールして実行する構成としてもよい。
【００５６】
上記構成の受付端末１（注文処理プログラム）を用いた注文処理の手順について、図１４のフローチャート図を参照して説明する。なお、以下の説明でもメディア７から画像データを読み取る構成とするが、デジタルカメラ８から画像データを読み取る場合も同様に適用することができる。
【００５７】
まず、ステップＳ２０１で、受付端末１（注文処理プログラム）を起動し、ステップＳ２０２で、読み取り手段１４を用いてメディア装填部４にメディア７が装填されたかを監視し、店員がメディア装填部４にメディア７を装填したら、ステップＳ２０３で、読み取り手段１４は、メディア７に記録された全ての画像データを自動的に読み取る。なお、本実施例は、画像データを記録媒体９に記録した後の動作に特徴を有するものであることから、画像データの読み取りに関しては、例えば、メディア装填部４にメディア７を装填してから、店員の指示に従って画像データの読み取りを行う構成としてもよい。
【００５８】
次に、必要に応じて、ステップＳ２０４で、表示制御手段１６は表示手段２に図６に示すようなメディア取り出し指示画面２３を表示させると共に、ステップＳ２０５で、読み取り手段１４を用いてメディア装填部４からメディア７が抜き取られたかを監視する。なお、本実施例ではこれらの操作を省略してもよいし、更に、画像データの選択などの処理を行ってもよい。
【００５９】
次に、ステップＳ２０６で、注文識別情報生成手段１５は、予め定められたルールに従って注文識別情報を生成し、ステップＳ２０７で、表示制御手段１６は表示手段２に図７に示すような注文識別情報確認画面２４を表示させ、生成した注文識別情報を表示する。この注文識別情報は、第１の実施例と同様に、シーケンシャルな番号としてもよいし、日付とシーケンシャルな番号とを組み合わせた番号としてもよいし、記録媒体９に対して付与される番号（YYMMDDyyyXXXXXXAABなど）としてもよい。
【００６０】
次に、ステップＳ２０８で、記憶制御手段１９は、生成した注文識別情報と読み取った画像データとを対応付けて記憶手段２０に記憶する。なお、対応付けの方法は特に限定されず、例えば、注文識別情報をYYMMDDyyyXXXXXXAABとした場合に、図１５（ａ）に示すように、読み取った画像データを格納するフォルダ（ROフォルダ）の名称を、上記注文識別情報を利用してROYYMMDDyyy_XXXXXXAABxxxなどとしたり、画像データと共に特定のファイル（例えば、図１５（ｂ）のindex.pvm）やメタデータなどを記憶し、その特定のファイルやメタデータに、注文識別情報と画像データを特定する情報（ファイル名など）とを対応付ける情報を記述するなどの方法を用いることができる。
【００６１】
その後、ステップＳ２０９で、送信手段２２は、画像データと注文識別情報とをプリント作成装置１０や記録装置１２に送信し、プリント作成装置１０では、画像データに基づいて写真プリント１１を作成する。また、記録装置１２は、第１の実施例と同様に、受信した画像データに基づいて家電機器用データを生成したり、画像データのファイル名をリネームしたり、縮小画像データを作成するなどの処理を行った後、記録媒体９の論理アドレス領域の内周側に家電機器用データを記録し、必要に応じてセッションをクローズした後、家電機器用データの外側に画像データや情報ファイルなどのコンピュータ機器用データを記録する。その際、記録媒体９には、第１の実施例と同様に、図９に示すように、注文識別情報を利用して画像データを格納するフォルダ（ROフォルダ）にROYYMMDDyyy_XXXXXXAABxxxなどの名称を付与したり、特定のファイル（例えば、index.pvm）やメタデータなどに、注文識別情報と画像データのファイル名などとを対応付ける情報を記述する。
【００６２】
ここで、従来の受付端末では、前記ステップで画像データや注文識別情報などをプリント作成装置１０や記録装置１２に送信した後や、作成した写真プリント１１や記録媒体９を受け取った時に、記憶手段２０に記憶した画像データを消去していたため、記録媒体９や写真プリント１１に不具合がある場合に、再度、メディア７から画像データを読み取らないと記録媒体９や写真プリント１１を作成することができないという問題があった。
【００６３】
そこで、本実施例では、ステップＳ２１０で、店員が記録媒体装填部６に記録媒体９を装填したら、ステップＳ２１１で、判定手段２１は、記憶手段２０に予め記憶された注文識別情報と、記録媒体９に記録された注文識別情報とを比較し、ステップＳ２１２で、注文識別情報が一致するかを判定する。具体的には、画像データを格納するフォルダ（例えば、ROフォルダ）の名称を比較したり、特定のファイルやメタデータの中から注文識別情報を抽出して比較するなどして、注文識別情報が一致するかを判定する。そして、注文識別情報が一致すれば、記憶手段２０に記憶された画像データに基づいて記録媒体９が作成されたと判断できるため、記憶制御手段１９は、記憶手段２０に記憶された画像データを消去する。
【００６４】
ここで、記録装置１２では、記録媒体９にデータを記録する際にデータのチェックを行うため、通常は注文識別情報が一致したら受付端末１の記憶手段２０から画像データを消去してもよいが、例えば、搬送中に記録媒体９が損傷して読み取りができない場合や、家電機器用データが再生できない場合も考えられる。そこで、本実施例では、必要に応じて、ステップＳ２１３で、判定手段２１は、注文識別情報が一致した記録媒体９に記録されている家電機器用データ（又は家電機器用データ及び画像データ）を再生し、ステップＳ２１４で、正常に再生できたら、ステップＳ２１５で、記憶制御手段１９は、注文識別情報に対応付けて記憶手段２０に記憶されている画像データを消去する。これにより、受付端末１で読み取った画像データに基づいて記録媒体９が作成される前に画像データが消去されたり、データが再生できない記録媒体９が作成されたにも関わらず画像データが消去されることがないため、不具合が発生した場合であっても、記憶手段２０に記憶された画像データを用いて、再度、記録媒体９や写真プリントを作成することができる。
【００６５】
なお、データの再生に際し、家電機器用データや画像データの全てを再生してもよいし、家電機器用データや画像データの一部のみを再生してもよい。また、正常に再生できるか否かの判断は、判定手段２１が行ってもよいし、再生したデータを表示手段２に表示し、店員がその表示を見て判断してもよい。
【００６６】
このように、本実施例では、メディア７から画像データを読み取った後、注文識別情報を生成し、記憶手段２０に画像データと注文識別情報とを対応付けて記憶しておき、画像データや家電機器用データを記録した記録媒体９を装填すると、記録手段１０に記憶された注文識別情報と記録媒体９に記録された注文識別情報とが比較され、注文識別情報が一致し、必要に応じて記録媒体９に記録されたデータが正常に再生できる場合に、記録手段２０に記憶された画像データが消去されるため、店員は複雑な操作をすることなく、画像データを適切に消去することができ、これにより簡単かつ確実に注文の処理を行うことができる。
【００６７】
なお、上記各実施例では、画像データに関する注文の処理に関して記載したが、本発明は上記実施例に限定されるものではなく、例えば、音楽データを記録媒体９に書き込む場合などについても同様に適用することができる。
【図面の簡単な説明】
【００６８】
【図１】本発明の第１の実施例に係る受付端末の構成を模式的に示す図である。
【図２】本発明の第１の実施例に係る受付端末の他の構成を示す図である。
【図３】本発明の第１の実施例に係る受付端末の他の構成を示す図である。
【図４】本発明の第１の実施例に係る受付端末の手段を示すブロック図である。
【図５】本発明の第１の実施例に係る受付端末を用いた注文処理の手順を示すフローチャート図である。
【図６】本発明の第１の実施例に係る受付端末の表示手段に表示される画面構成例（メディア取り出し指示画面）を示す図である。
【図７】本発明の第１の実施例に係る受付端末の表示手段に表示される画面構成例（注文番号確認画面）を示す図である。
【図８】本発明の第１の実施例に係る注文袋の構成例を示す図である。
【図９】本発明の第１の実施例に係る記録媒体におけるデータの記録構造を示す図である。
【図１０】本発明の第１の実施例に係る記録媒体におけるデータの記録領域を模式的に示す図である。
【図１１】記録媒体（ＣＤ−Ｒ）の構造を模式的に示す図である。
【図１２】本発明の第２の実施例に係る注文処理システムの構成を模式的に示す図である。
【図１３】本発明の第２の実施例に係る受付端末の手段を示すブロック図である。
【図１４】本発明の第２の実施例に係る受付端末を用いた注文処理の手順を示すフローチャート図である。
【図１５】本発明の第２の実施例に係る受付端末の記憶手段におけるデータの記録構造を示す図である。
【符号の説明】
【００６９】
１  受付端末
２  表示手段
３  操作手段
４  メディア装填部
５  機器接続部
６  記録媒体装填部
７  メディア
８  デジタルカメラ
９  記録媒体
１０  プリント作成装置
１１  写真プリント
１２  記録装置
１３  記録媒体装填部
１４  読み取り手段
１５  注文識別情報生成手段
１６  表示制御手段
１７  データ生成手段
１８  書き込み手段
１９  記憶制御手段
２０  記憶手段
２１  注文番号比較手段
２２  送信手段
２３  メディア取り出し指示画面
２４  注文番号確認画面
２５  注文袋
１００  ポリカーボネート基板
１０１  有機色素層
１０２  反射層
１０３  保護層
【図１】
2007114891.tif 000003
【図２】
2007114891.tif 000004
【図３】
2007114891.tif 000005
【図４】
2007114891.tif 000006
【図５】
2007114891.tif 000007
【図６】
2007114891.tif 000008
【図７】
2007114891.tif 000009
【図８】
2007114891.tif 000010
【図９】
2007114891.tif 000011
【図１０】
2007114891.tif 000012
【図１１】
2007114891.tif 000013
【図１２】
2007114891.tif 000014
【図１３】
2007114891.tif 000015
【図１４】
2007114891.tif 000016
【図１５】
2007114891.tif 000017